(57)【要約】      （修正有）【課題】放送波から取得したデータを簡易な構成で伝送することが可能な放送受信装置、放送受信システム、放送受信方法及び放送受信プログラムを提供する。【解決手段】放送受信装置１０１は、放送波を受信し、受信した放送波を復調することにより受信データを生成する復調部２１と、復調部２１によって生成された受信データから対象データを取得する取得部２２と、取得部２２によって取得された対象データにＭＡＣ（Ｍｅｄｉａ  Ａｃｃｅｓｓ  Ｃｏｎｔｒｏｌ）ヘッダを付加する付加部２３と、付加部２３によってＭＡＣヘッダが付加された対象データを他の装置へ送信する送信部２４とを備える。【選択図】図６
2017092671.tif 000002
【特許請求の範囲】
【請求項１】
放送波を受信し、受信した前記放送波を復調することにより受信データを生成する復調部と、
前記復調部によって生成された前記受信データから対象データを取得する取得部と、
前記取得部によって取得された前記対象データにＭＡＣ（Ｍｅｄｉａ  Ａｃｃｅｓｓ  Ｃｏｎｔｒｏｌ）ヘッダを付加する付加部と、
前記付加部によって前記ＭＡＣヘッダが付加された前記対象データを他の装置へ送信する送信部とを備える、放送受信装置。
【請求項２】
前記受信データは、データ種別を示す情報が格納されたヘッダを有するパケットを含み、
前記取得部は、前記パケットにおけるペイロードに格納された前記対象データを取得する、請求項１に記載の放送受信装置。
【請求項３】
前記パケットは、ＴＬＶ（Ｔｙｐｅ  Ｌｅｎｇｔｈ  Ｖａｌｕｅ）パケットである、請求項２に記載の放送受信装置。
【請求項４】
前記対象データは、１または複数のＩＰ（Ｉｎｔｅｒｎｅｔ  Ｐｒｏｔｏｃｏｌ）パケットである、請求項２または請求項３に記載の放送受信装置。
【請求項５】
前記付加部は、前記対象データにＩＰヘッダおよびＭＡＣヘッダを付加する、請求項２または請求項３に記載の放送受信装置。
【請求項６】
前記対象データは、前記放送波の伝送制御に関する情報を含み、
前記付加部は、前記対象データにＩＰヘッダおよびＭＡＣヘッダを付加する、請求項１に記載の放送受信装置。
【請求項７】
前記付加部は、宛先アドレスとしてマルチキャストアドレスが格納されたＭＡＣヘッダを前記対象データに付加する、請求項１から請求項６のいずれか１項に記載の放送受信装置。
【請求項８】
前記放送受信装置は、さらに、
前記受信データの格納方式を判別する判別部を備え、
前記付加部は、前記判別部によって判別された前記格納方式が、ＴＳ（Ｔｒａｎｓｐｏｒｔ  Ｓｔｒｅａｍ）パケットを用いる方式である場合、前記対象データにＩＰヘッダおよびＭＡＣヘッダを付加する、請求項１から請求項７のいずれか１項に記載の放送受信装置。
【請求項９】
番組の情報を含む放送波を受信する放送受信装置と、
デコーダ装置とを備え、
前記放送受信装置は、受信した前記放送波を復調することにより受信データを生成し、生成した前記受信データから対象データを取得し、取得した前記対象データにＭＡＣ（Ｍｅｄｉａ  Ａｃｃｅｓｓ  Ｃｏｎｔｒｏｌ）ヘッダを付加し、前記ＭＡＣヘッダを付加した前記対象データを送信データとして前記デコーダ装置へ送信し、
前記デコーダ装置は、前記放送受信装置から受信した前記送信データに基づいて、前記番組を再生する、放送受信システム。
【請求項１０】
前記ＭＡＣヘッダには、宛先アドレスが格納され、
前記放送受信システムは、さらに、
前記放送受信装置から受信した前記送信データの前記ＭＡＣヘッダに格納された前記宛先アドレスの装置へ、前記送信データを転送するスイッチ装置を備える、請求項９に記載の放送受信システム。
【請求項１１】
放送波を受信する放送受信装置における放送受信方法であって、
受信した前記放送波を復調することにより受信データを生成するステップと、
生成した前記受信データから対象データを取得するステップと、
取得した前記対象データにＭＡＣ（Ｍｅｄｉａ  Ａｃｃｅｓｓ  Ｃｏｎｔｒｏｌ）ヘッダを付加するステップと、
前記ＭＡＣヘッダを付加した前記対象データを、他の装置へ送信するステップとを含む、放送受信方法。
【請求項１２】
放送受信装置において用いられる放送受信プログラムであって、
コンピュータを、
放送波を受信し、受信した前記放送波を復調することにより受信データを生成する復調部と、
前記復調部によって生成された前記受信データから対象データを取得する取得部と、
前記取得部によって取得された前記対象データにＭＡＣ（Ｍｅｄｉａ  Ａｃｃｅｓｓ  Ｃｏｎｔｒｏｌ）ヘッダを付加する付加部と、
前記付加部によって前記ＭＡＣヘッダが付加された前記対象データを他の装置へ送信する送信部と、
として機能させるための、放送受信プログラム。
【発明の詳細な説明】
【技術分野】
【０００１】
本発明は、放送受信装置、放送受信システム、放送受信方法および放送受信プログラムに関し、特に、放送波を受信する放送受信装置、放送受信システム、放送受信方法および放送受信プログラムに関する。
【背景技術】
【０００２】
近年、各種伝送路を用いて高解像度の映像を伝送するための技術が開発されている。たとえば、非特許文献１（青木秀一、”次世代放送システムのメディアトランスポート技術”、２０１３年７月、ＮＨＫ技研Ｒ＆Ｄ、［ｏｎｌｉｎｅ］、［平成２７年１１月１日検索］、インターネット〈ＵＲＬ：ｈｔｔｐ：／／ｗｗｗ．ｎｈｋ．ｏｒ．ｊｐ／ｓｔｒｌ／ｐｕｂｌｉｃａ／ｒｄ／ｒｄ１４０／ＰＤＦ／Ｐ２２−３１．ｐｄｆ〉）には以下のような技術が開示されている。
【０００３】
すなわち、ＭＭＴ（ＭＰＥＧ  Ｍｅｄｉａ  Ｔｒａｎｓｐｏｒｔ）パケットを格納したＩＰ（Ｉｎｔｅｒｎｅｔ  Ｐｒｏｔｏｃｏｌ）パケットを、非特許文献２（Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２７年１１月１日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉）に記載の技術に従って、ＩＰパケットの多重化方式を用いて放送伝送路に多重する方法が記載されている。具体的には、ＴＬＶ（Ｔｙｐｅ  Ｌｅｎｇｔｈ  Ｖａｌｕｅ）パケットを用いてＩＰパケットを放送伝送路に多重する。
【先行技術文献】
【非特許文献】
【０００４】
【非特許文献１】青木秀一、”次世代放送システムのメディアトランスポート技術”、２０１３年７月、ＮＨＫ技研Ｒ＆Ｄ、［ｏｎｌｉｎｅ］、［平成２７年１１月１日検索］、インターネット〈ＵＲＬ：ｈｔｔｐ：／／ｗｗｗ．ｎｈｋ．ｏｒ．ｊｐ／ｓｔｒｌ／ｐｕｂｌｉｃａ／ｒｄ／ｒｄ１４０／ＰＤＦ／Ｐ２２−３１．ｐｄｆ〉
【非特許文献２】Ｉｎｔｅｒｎａｔｉｏｎａｌ  Ｔｅｌｅｃｏｍｍｕｎｉｃａｔｉｏｎ  Ｕｎｉｏｎ  Ｒａｄｉｏｃｏｍｍｕｎｉｃａｔｉｏｎｓ  Ｓｅｃｔｏｒ、”Ｒｅｃｏｍｍｅｎｄａｔｉｏｎ  ＩＴＵ−Ｒ  ＢＴ．１８６９”、２０１０年３月、［ｏｎｌｉｎｅ］、［平成２７年１１月１日検索］、インターネット〈ＵＲＬ：ｈｔｔｐ：／／ｗｗｗ．ｉｔｕ．ｉｎｔ／ｄｍｓ＿ｐｕｂｒｅｃ／ｉｔｕ−ｒ／ｒｅｃ／ｂｔ／Ｒ−ＲＥＣ−ＢＴ．１８６９−０−２０１００３−Ｉ！！ＰＤＦ−Ｅ．ｐｄｆ〉
【非特許文献３】社団法人  電波産業会、”地上デジタルテレビジョン放送の伝送方式  標準規格  ＡＲＩＢ  ＳＴＤ−Ｂ３１  １．９版”、［ｏｎｌｉｎｅ］、［平成２７年１１月１日検索］、インターネット〈ＵＲＬ：ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／２−ＳＴＤ−Ｂ３１ｖ１＿９．ｐｄｆ〉
【発明の概要】
【発明が解決しようとする課題】
【０００５】
非特許文献２に開示されているような、放送波から取得したＭＭＴ／ＩＰ／ＴＬＶパケット等のデータを後段の装置へ伝送する方法については、非特許文献１には開示されていない。放送波から取得したデータを簡易な構成で伝送することが可能な技術が求められている。
【０００６】
この発明は、上述の課題を解決するためになされたもので、その目的は、放送波から取得したデータを簡易な構成で伝送することが可能な放送受信装置、放送受信システム、放送受信方法および放送受信プログラムを提供することである。
【課題を解決するための手段】
【０００７】
（１）上記課題を解決するために、この発明のある局面に係わる放送受信装置は、放送波を受信し、受信した前記放送波を復調することにより受信データを生成する復調部と、前記復調部によって生成された前記受信データから対象データを取得する取得部と、前記取得部によって取得された前記対象データにＭＡＣ（Ｍｅｄｉａ  Ａｃｃｅｓｓ  Ｃｏｎｔｒｏｌ）ヘッダを付加する付加部と、前記付加部によって前記ＭＡＣヘッダが付加された前記対象データを他の装置へ送信する送信部とを備える。
【０００８】
（９）上記課題を解決するために、この発明のある局面に係わる放送受信システムは、番組の情報を含む放送波を受信する放送受信装置と、デコーダ装置とを備え、前記放送受信装置は、受信した前記放送波を復調することにより受信データを生成し、生成した前記受信データから対象データを取得し、取得した前記対象データにＭＡＣ（Ｍｅｄｉａ  Ａｃｃｅｓｓ  Ｃｏｎｔｒｏｌ）ヘッダを付加し、前記ＭＡＣヘッダを付加した前記対象データを送信データとして前記デコーダ装置へ送信し、前記デコーダ装置は、前記放送受信装置から受信した前記送信データに基づいて、前記番組を再生する。
【０００９】
（１１）上記課題を解決するために、この発明のある局面に係わる放送受信方法は、放送波を受信する放送受信装置における放送受信方法であって、受信した前記放送波を復調することにより受信データを生成するステップと、生成した前記受信データから対象データを取得するステップと、取得した前記対象データにＭＡＣ（Ｍｅｄｉａ  Ａｃｃｅｓｓ  Ｃｏｎｔｒｏｌ）ヘッダを付加するステップと、前記ＭＡＣヘッダを付加した前記対象データを、他の装置へ送信するステップとを含む。
【００１０】
（１２）上記課題を解決するために、この発明のある局面に係わる放送受信プログラムは、放送受信装置において用いられる放送受信プログラムであって、コンピュータを、放送波を受信し、受信した前記放送波を復調することにより受信データを生成する復調部と、前記復調部によって生成された前記受信データから対象データを取得する取得部と、前記取得部によって取得された前記対象データにＭＡＣ（Ｍｅｄｉａ  Ａｃｃｅｓｓ  Ｃｏｎｔｒｏｌ）ヘッダを付加する付加部と、前記付加部によって前記ＭＡＣヘッダが付加された前記対象データを他の装置へ送信する送信部と、として機能させるためのプログラムである。
【００１１】
本発明は、このような特徴的な処理部を備える放送受信装置として実現することができるだけでなく、放送受信装置の一部または全部を実現する半導体集積回路として実現することができる。
【発明の効果】
【００１２】
本発明によれば、放送波から取得したデータを簡易な構成で伝送することができる。
【図面の簡単な説明】
【００１３】
【図１】図１は、本発明の第１の実施の形態に係る放送受信システムの構成を示す図である。
【図２】図２は、本発明の第１の実施の形態に係る放送受信システムにおいて、放送波によって伝送されるデータのプロトコルスタックの一例を示す図である。
【図３】図３は、本発明の第１の実施の形態に係る放送受信システムにおいて用いられるＴＬＶパケットの一例を示す図である。
【図４】図４は、本発明の第１の実施の形態に係る放送受信システムにおいて、放送波によって伝送されるデータのプロトコルスタックの他の例を示す図である。
【図５】図５は、本発明の第１の実施の形態に係る放送受信システムにおいて用いられるＴＳパケットの一例を示す図である。
【図６】図６は、本発明の第１の実施の形態に係る放送受信装置の構成を示す図である。
【図７】図７は、本発明の実施の形態に係る放送受信装置における復調部の構成を示す図である。
【図８】図８は、本発明の第１の実施の形態に係る放送受信装置におけるＭＡＣ処理部が生成するＭＡＣフレームの一例を示す図である。
【図９】図９は、本発明の第１の実施の形態に係る放送受信装置が放送波の処理を行う際の動作手順を定めたフローチャートである。
【図１０】図１０は、本発明の第２の実施の形態に係る放送受信システムの構成を示す図である。
【発明を実施するための形態】
【００１４】
最初に、本発明の実施形態の内容を列記して説明する。
【００１５】
（１）本発明の実施の形態に係る放送受信装置は、放送波を受信し、受信した前記放送波を復調することにより受信データを生成する復調部と、前記復調部によって生成された前記受信データから対象データを取得する取得部と、前記取得部によって取得された前記対象データにＭＡＣ（Ｍｅｄｉａ  Ａｃｃｅｓｓ  Ｃｏｎｔｒｏｌ）ヘッダを付加する付加部と、前記付加部によって前記ＭＡＣヘッダが付加された前記対象データを他の装置へ送信する送信部とを備える。
【００１６】
このように、放送波に含まれる対象データを取得し、取得した対象データにＭＡＣヘッダを付加して他の装置へ送信する構成により、広く普及しているＩＥＥＥ８０２．３の規格に従って対象データを送信し、他の装置は、ＩＥＥＥ８０２．３の規格に従うインタフェースを備えることで、対象データを受信して処理することができる。したがって、放送波から取得したデータを簡易な構成で伝送することができる。
【００１７】
（２）好ましくは、前記受信データは、データ種別を示す情報が格納されたヘッダを有するパケットを含み、前記取得部は、前記パケットにおけるペイロードに格納された前記対象データを取得する。
【００１８】
このような構成により、他の装置において、上記ヘッダの解析処理を不要にすることができるので、受信構成の汎用化を実現することができる。また、放送受信装置において、ペイロードに格納されたデータの内容を確認することなく当該データの種別を認識することができるので、ペイロードに格納されたデータに対する処理内容の決定を、認識した種別に基づいて簡易に行うことができる。
【００１９】
（３）より好ましくは、前記パケットは、ＴＬＶ（Ｔｙｐｅ  Ｌｅｎｇｔｈ  Ｖａｌｕｅ）パケットである。
【００２０】
このような構成により、ＩＰパケットを多重化して格納可能なＴＬＶパケットのヘッダの内容から、ペイロードに格納されたデータの種別および大きさを認識することができるので、たとえばＩＰヘッダの付加の要不要を、認識した種別に基づいて簡易に行うことができるとともに、ペイロードに格納されたデータの取得を、認識した大きさに基づいて簡易に行うことができる。
【００２１】
（４）より好ましくは、前記対象データは、１または複数のＩＰ（Ｉｎｔｅｒｎｅｔ  Ｐｒｏｔｏｃｏｌ）パケットである。
【００２２】
このような構成により、１または複数のＩＰパケットをＭＡＣフレームに格納して他の装置へ送信することができるので、他の装置は、たとえばＩＰ放送用のインタフェースを備える場合、新たなインタフェースを設けることなく対象データを受信して処理することができる。
【００２３】
（５）より好ましくは、前記付加部は、前記対象データにＩＰヘッダおよびＭＡＣヘッダを付加する。
【００２４】
このような構成により、放送波においてＩＰパケットに格納されていない対象データを、ＩＰパケットおよびＭＡＣフレームに格納して他の装置へ送信することができるので、他の装置は、たとえばＩＰ放送用のインタフェースを備える場合、新たなインタフェースを設けることなく対象データを受信して処理することができる。
【００２５】
（６）好ましくは、前記対象データは、前記放送波の伝送制御に関する情報を含み、前記付加部は、前記対象データにＩＰヘッダおよびＭＡＣヘッダを付加する。
【００２６】
このような構成により、放送波においてＩＰパケットに格納されていない、放送波の伝送制御に関する情報を、ＩＰパケットおよびＭＡＣフレームに格納して他の装置へ送信することができるので、他の装置は、たとえばＩＰ放送用のインタフェースを備える場合、新たなインタフェースを設けることなく当該情報を受信して処理することができる。
【００２７】
（７）好ましくは、前記付加部は、宛先アドレスとしてマルチキャストアドレスが格納されたＭＡＣヘッダを前記対象データに付加する。
【００２８】
このような構成により、放送受信装置において送信先のＭＡＣアドレスを取得する処理を不要とすることができるので、ＭＡＣフレームに格納された対象データを簡易な構成で複数の装置へ送信することができる。
【００２９】
（８）好ましくは、前記放送受信装置は、さらに、前記受信データの格納方式を判別する判別部を備え、前記付加部は、前記判別部によって判別された前記格納方式が、ＴＳ（Ｔｒａｎｓｐｏｒｔ  Ｓｔｒｅａｍ）パケットを用いる方式である場合、前記対象データにＩＰヘッダおよびＭＡＣヘッダを付加する。
【００３０】
このような構成により、放送波によりＴＳパケットが伝送される場合においても、ＴＳパケットをＩＰパケットおよびＭＡＣフレームに格納して他の装置へ送信することができるので、１つの放送受信装置で各種データを伝送することができる。また、他の装置は、たとえばＩＰ放送用のインタフェースを備える場合、新たなインタフェースを設けることなくＴＳパケットを受信して処理することができる。
【００３１】
（９）本発明の実施の形態に係る放送受信システムは、番組の情報を含む放送波を受信する放送受信装置と、デコーダ装置とを備え、前記放送受信装置は、受信した前記放送波を復調することにより受信データを生成し、生成した前記受信データから対象データを取得し、取得した前記対象データにＭＡＣ（Ｍｅｄｉａ  Ａｃｃｅｓｓ  Ｃｏｎｔｒｏｌ）ヘッダを付加し、前記ＭＡＣヘッダを付加した前記対象データを送信データとして前記デコーダ装置へ送信し、前記デコーダ装置は、前記放送受信装置から受信した前記送信データに基づいて、前記番組を再生する。
【００３２】
このように、放送波に含まれる対象データを取得し、取得した対象データにＭＡＣヘッダを付加してデコーダ装置へ送信する構成により、広く普及しているＩＥＥＥ８０２．３の規格に従って対象データを送信し、デコーダ装置は、ＩＥＥＥ８０２．３の規格に従うインタフェースを備えることで、対象データを受信して番組を再生することができる。したがって、放送波から取得したデータを簡易な構成で伝送することができる。
【００３３】
（１０）好ましくは、前記ＭＡＣヘッダには、宛先アドレスが格納され、前記放送受信システムは、さらに、前記放送受信装置から受信した前記送信データの前記ＭＡＣヘッダに格納された前記宛先アドレスの装置へ、前記送信データを転送するスイッチ装置を備える。
【００３４】
このような構成により、放送受信システムにおける送信データの伝送形態の多様化を実現することができる。
【００３５】
（１１）本発明の実施の形態に係る放送受信方法は、放送波を受信する放送受信装置における放送受信方法であって、受信した前記放送波を復調することにより受信データを生成するステップと、生成した前記受信データから対象データを取得するステップと、取得した前記対象データにＭＡＣ（Ｍｅｄｉａ  Ａｃｃｅｓｓ  Ｃｏｎｔｒｏｌ）ヘッダを付加するステップと、前記ＭＡＣヘッダを付加した前記対象データを、他の装置へ送信するステップとを含む。
【００３６】
このように、放送波に含まれる対象データを取得し、取得した対象データにＭＡＣヘッダを付加して他の装置へ送信する構成により、広く普及しているＩＥＥＥ８０２．３の規格に従って対象データを送信し、他の装置は、ＩＥＥＥ８０２．３の規格に従うインタフェースを備えることで、対象データを受信して処理することができる。したがって、放送波から取得したデータを簡易な構成で伝送することができる。
【００３７】
（１２）本発明の実施の形態に係る放送受信プログラムは、放送受信装置において用いられる放送受信プログラムであって、コンピュータを、放送波を受信し、受信した前記放送波を復調することにより受信データを生成する復調部と、前記復調部によって生成された前記受信データから対象データを取得する取得部と、前記取得部によって取得された前記対象データにＭＡＣ（Ｍｅｄｉａ  Ａｃｃｅｓｓ  Ｃｏｎｔｒｏｌ）ヘッダを付加する付加部と、前記付加部によって前記ＭＡＣヘッダが付加された前記対象データを他の装置へ送信する送信部と、として機能させるためのプログラムである。
【００３８】
このように、放送波に含まれる対象データを取得し、取得した対象データにＭＡＣヘッダを付加して他の装置へ送信する構成により、広く普及しているＩＥＥＥ８０２．３の規格に従って対象データを送信し、他の装置は、ＩＥＥＥ８０２．３の規格に従うインタフェースを備えることで、対象データを受信して処理することができる。したがって、放送波から取得したデータを簡易な構成で伝送することができる。
【００３９】
以下、本発明の実施の形態について図面を用いて説明する。なお、図中同一または相当部分には同一符号を付してその説明は繰り返さない。また、以下に記載する実施の形態の少なくとも一部を任意に組み合わせてもよい。
【００４０】
［構成および基本動作］
図１は、本発明の第１の実施の形態に係る放送受信システムの構成を示す図である。
【００４１】
図１を参照して、放送受信システム３０１は、放送受信装置１０１と、デコーダ装置１５１とを備える。
【００４２】
デコーダ装置１５１には、たとえば表示装置１１１および記憶装置１２１が接続されている。放送受信装置１０１には、たとえば外部アンテナ１１が接続されている。
【００４３】
放送受信装置１０１は、たとえばストリームを含む放送波ＢＷを受信する。ストリームは、番組の情報等を含む、番組の情報は、たとえば、音声および映像の情報、ＥＰＧ（Ｅｌｅｃｔｒｏｎｉｃ  Ｐｒｏｇｒａｍ  Ｇｕｉｄｅ）情報、ＳＩ情報（Ｓｅｒｖｉｃｅ  Ｉｎｆｏｒｍａｔｉｏｎ）ならびに字幕情報等である。
【００４４】
放送受信装置１０１は、たとえば、図示しない放送局からのストリームを中継するための放送衛星１７３または電波塔１７４から送信された放送波ＢＷを外部アンテナ１１経由で受信する。
【００４５】
放送波ＢＷは、ストリームを搬送波ＣＷに含めるために、たとえばＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式によって当該搬送波ＣＷが変調された電波である。
【００４６】
放送波ＢＷには、たとえば複数のＯＦＤＭキャリアが含まれる。より詳細には、放送波ＢＷには、たとえば、ＯＦＤＭセグメントを単位とする複数の周波数領域のそれぞれにおいて、複数のＯＦＤＭキャリアが含まれる。
【００４７】
各ＯＦＤＭキャリアは、放送波の伝送制御に関する情報たとえばＴＭＣＣ（Ｔｒａｎｓｍｉｓｓｉｏｎ  ａｎｄ  Ｍｕｌｔｉｐｌｅｘｉｎｇ  Ｃｏｎｆｉｇｕｌａｔｉｏｎ  Ｃｏｎｔｒｏｌ  Ｉｎｆｏｒｍａｔｉｏｎ）情報を送信するためのＯＦＤＭキャリア、放送に関する付加情報たとえばＡＣ（Ａｕｘｉｌｉａｒｙ  Ｃｈａｎｎｅｌ）情報を送信するためのＯＦＤＭキャリア、および番組の情報を送信するためのＯＦＤＭキャリア等である。
【００４８】
ＴＭＣＣ情報は、非特許文献３（社団法人  電波産業会、”地上デジタルテレビジョン放送の伝送方式  標準規格  ＡＲＩＢ  ＳＴＤ−Ｂ３１  １．９版”、［ｏｎｌｉｎｅ］、［平成２７年１１月１日検索］、インターネット〈ＵＲＬ：ｈｔｔｐ：／／ｗｗｗ．ａｒｉｂ．ｏｒ．ｊｐ／ｅｎｇｌｉｓｈ／ｈｔｍｌ／ｏｖｅｒｖｉｅｗ／ｄｏｃ／２−ＳＴＤ−Ｂ３１ｖ１＿９．ｐｄｆ〉）の５５ページに記載されているように、たとえば、緊急警報放送用起動フラグ等のデコーダ装置１５１において必要となり得る情報である。
【００４９】
ＡＣ情報は、非特許文献３の６２ページに記載されているように、たとえば、地震動警報情報等のデコーダ装置１５１において必要となり得る情報である。
【００５０】
図２は、本発明の第１の実施の形態に係る放送受信システムにおいて、放送波によって伝送されるデータのプロトコルスタックの一例を示す図である。図２では、ＴＬＶパケットを用いるプロトコルスタックが示されている。
【００５１】
図２を参照して、ＴＬＶパケットは、たとえば、２１６０ｐまたは４３２０ｐ等の規格に従う、４Ｋ  ＵＨＤＴＶ（Ｕｌｔｒａ  Ｈｉｇｈ  Ｄｅｆｉｎｉｔｉｏｎ  Ｔｅｌｅｖｉｓｉｏｎ）または８Ｋ  ＵＨＤＴＶ等の送信に用いられることが多い。
【００５２】
放送波ＢＷは、たとえば、ＴＭＣＣ情報、ＡＣ情報およびＴＬＶパケットを含む。
【００５３】
図３は、本発明の第１の実施の形態に係る放送受信システムにおいて用いられるＴＬＶパケットの一例を示す図である。図３には、データ種別を示す情報が格納されたヘッダを有するパケットの一例である、非特許文献２の規格に従うＴＬＶパケットのフォーマットが示されている。
【００５４】
図３を参照して、ＴＬＶパケットは、ＴＬＶヘッダと、ＴＬＶペイロードとを含む。ＴＬＶヘッダは、「０１」の値が格納された「スタートコード」のフィールド、「将来予約」のフィールド、「パケットタイプ」のフィールド、および「長さ」のフィールドを含み、これらのフィールドの長さは、それぞれ２ビット、６ビット、８ビットおよび１６ビットである。
【００５５】
「パケットタイプ」のフィールドには、「０ｘ０１」、「０ｘ０２」、「０ｘ０３」または「０ｘＦＥ」等の値が格納される。以下、「０ｘ」で始まる数字は、「０ｘ」以降の数字が１６進数で表されていることを意味する。
【００５６】
「パケットタイプ」のフィールドにおいて「０ｘ０１」が格納される場合、ＴＬＶパケット６１は、ＴＬＶペイロードにおいて、「長さ」のフィールドに格納された値の総データ長となる１または複数のＩＰｖ４パケットを含む。
【００５７】
また、「パケットタイプ」のフィールドにおいて「０ｘ０２」が格納される場合、ＴＬＶパケット６２は、ＴＬＶペイロードにおいて、「長さ」のフィールドに格納された値の総データ長となる１または複数のＩＰｖ６パケットを含む。
【００５８】
また、「パケットタイプ」のフィールドにおいて「０ｘ０３」が格納される場合、ＴＬＶパケット６３は、ＴＬＶペイロードにおいて、「長さ」のフィールドに格納された値の総データ長となる１または複数の圧縮ＩＰパケットを含む。圧縮ＩＰパケットは、たとえばＩＰヘッダが圧縮されたＩＰパケットである。
【００５９】
また、「パケットタイプ」のフィールドにおいて「０ｘＦＥ」が格納される場合、ＴＬＶパケット６４は、ＴＬＶペイロードにおいて、「長さ」のフィールドに格納された値の総データ長となるシグナリングパケットを含む。シグナリングパケットは、たとえば、チャネル番号およびＩＰマルチキャストアドレスの対応関係等を示すＴＬＶ−ＳＩデータを含むことがある。
【００６０】
再び図２を参照して、ＴＬＶ−ＳＩデータは、たとえばＴＬＶパケット６４に格納される。
【００６１】
また、たとえば、時刻同期用のＮＴＰ（Ｎｅｔｗｏｒｋ  Ｔｉｍｅ  Ｐｒｏｔｏｃｏｌ）データ、ＩＰ−ＳＩデータおよび時刻情報、ならびに映像情報、音声情報、ＭＭＴ−ＳＩデータ、および他の情報を格納したＭＭＴパケット、またはデータ伝送方式は、ＵＤＰ（Ｕｓｅｒ  Ｄａｔａｇｒａｍ  Ｐｒｏｔｏｃｏｌ）／ＩＰパケットに格納される。
【００６２】
ＴＬＶパケット６１、６２または６３は、このようなＵＤＰ／ＩＰパケットを１または複数格納する。
【００６３】
図４は、本発明の第１の実施の形態に係る放送受信システムにおいて、放送波によって伝送されるデータのプロトコルスタックの他の例を示す図である。図４では、ＴＳパケットを用いるプロトコルスタックが示されている。
【００６４】
図４を参照して、ＴＳパケットは、たとえば、１０８０ｉ、７２０ｐまたは４８０ｐ等の規格に従う、ＨＤＴＶまたはＳＤＴＶ（Ｓｔａｎｄａｒｄ  Ｄｅｆｉｎｉｔｉｏｎ  Ｔｅｌｅｖｉｓｉｏｎ）等の送信に用いられることが多い。なお、ＴＳパケットは、４Ｋ  ＵＨＤＴＶまたは８Ｋ  ＵＨＤＴＶ等の送信に用いられることもある。
【００６５】
放送波ＢＷは、たとえば、ＴＭＣＣ情報、ＡＣ情報およびＴＳパケットを含む。
【００６６】
図５は、本発明の第１の実施の形態に係る放送受信システムにおいて用いられるＴＳパケットの一例を示す図である。図５には、ＴＳパケットのフォーマットが示されている。
【００６７】
図５を参照して、ＴＳパケット７１は、ＴＳヘッダと、ＴＳペイロードとを含む。ＴＳヘッダは、「０ｘ４７」の値が格納された「同期バイト」のフィールドおよび「ＰＩＤ（Ｐａｃｋｅｔ  ＩＤ）等」を格納するためのフィールドを含み、これらのフィールドの長さは、それぞれたとえば１オクテットおよび３オクテットである。ＴＳペイロードは、たとえば、ＰＥＳ（Ｐａｃｋｅｔｉｚｅｄ  Ｅｌｅｍｅｎｔａｒｙ  Ｓｔｒｅａｍ）の全部もしくは一部、またはセクションの全部もしくは一部を格納するための「ペイロード」のフィールドを含む。このフィールドの長さは、たとえば１８４オクテットである。
【００６８】
再び図４を参照して、ＰＣＲ（Ｐｒｏｇｒａｍ  Ｃｌｏｃｋ  Ｒｅｆｅｒｅｎｃｅ）データは、たとえばＴＳパケット７１に格納される。また、たとえば、映像情報、音声情報、字幕情報およびタイムラインは、ＰＥＳパケットに格納される。
【００６９】
また、たとえば、ＰＳＩ−ＳＩデータ、およびＡＩＴ（Ａｐｐｌｉｃａｔｉｏｎ  Ｉｎｆｏｒｍａｔｉｏｎ  Ｔａｂｌｅ）の一部はセクションに含まれる。また、データカルーセル方式で伝送される、ＡＩＴの残りの一部、アプリＨＴＭＬＳおよびコンテンツダウンロードは、セクションに含まれる。
【００７０】
図６は、本発明の第１の実施の形態に係る放送受信装置の構成を示す図である。
【００７１】
図６を参照して、放送受信装置１０１は、復調部２１と、取得部（判別部）２２と、付加部２３と、送信部２４と、周波数設定部２９とを備える。付加部２３は、ＭＡＣ処理部２５と、ＴＭＣＣ情報処理部２６と、ＴＬＶ−ＳＩデータ処理部２７と、ＴＳパケット処理部２８と、ＡＣ情報処理部３０とを含む。
【００７２】
周波数設定部２９は、たとえば、放送波ＢＷの復調に用いる搬送波ＣＷの周波数Ｆｄを設定する。より詳細には、周波数設定部２９は、たとえば、ユーザまたは上位装置からの要求に応じて周波数Ｆｄを設定し、設定した周波数Ｆｄを示す周波数情報を復調部２１へ出力する。
【００７３】
図７は、本発明の実施の形態に係る放送受信装置における復調部の構成を示す図である。
【００７４】
図７を参照して、復調部２１は、ローノイズアンプ４１と、直交復調部４２と、ＡＤ（Ａｎａｌｏｇ  Ｄｉｇｉｔａｌ）変換部４３と、ＦＦＴ（Ｆａｓｔ  Ｆｏｕｒｉｅｒ  Ｔｒａｎｓｆｏｒｍ）処理部４４と、Ｐ／Ｓ（Ｐａｒａｌｌｅｌ／Ｓｅｒｉａｌ）変換部４５と、発振器４６とを含む。
【００７５】
復調部２１は、放送波ＢＷを受信し、受信した放送波ＢＷを復調することにより受信データを生成する。具体的には、復調部２１は、たとえば、放送波ＢＷを受信し、受信した放送波ＢＷを、ＯＦＤＭ変調方式に従って復調することにより受信データを生成する。
【００７６】
より詳細には、復調部２１におけるローノイズアンプ４１は、たとえば、外部アンテナ１１からの放送波ＢＷを受信し、受信した放送波ＢＷを増幅する。ローノイズアンプ４１は、増幅した放送波ＢＷを直交復調部４２へ出力する。
【００７７】
発振器４６は、周波数設定部２９から周波数情報を受け、当該周波数情報の示す周波数Ｆｄのローカル信号Ｌｏを生成して直交復調部４２へ出力する。
【００７８】
直交復調部４２は、たとえば、発振器４６から受けたローカル信号Ｌｏを用いて、ローノイズアンプ４１から受けた放送波ＢＷを直交復調し、ベースバンド帯のＩ成分のアナログ信号ＩａおよびＱ成分のアナログ信号Ｑａを生成する。直交復調部４２は、生成したアナログ信号ＩａおよびＱａをＡＤ変換部４３へ出力する。
【００７９】
ＡＤ変換部４３は、直交復調部４２から受けたアナログ信号ＩａおよびＱａをそれぞれＡＤ変換することによりデジタル信号ＩｄおよびＱｄを生成し、生成したデジタル信号ＩｄおよびＱｄをＦＦＴ処理部４４へ出力する。
【００８０】
ＦＦＴ処理部４４は、ＡＤ変換部４３から受けたデジタル信号ＩｄおよびＱｄを所定時間たとえばＯＦＤＭシンボル時間蓄積し、蓄積したデジタル信号ＩｄおよびＱｄをＦＦＴ処理することによりＩ成分のパワースペクトルＩｐｓおよびＱ成分のパワースペクトルＱｐｓを生成する。
【００８１】
ＦＦＴ処理部４４は、たとえば、ＯＦＤＭシンボル時間ごとに、生成したパワースペクトルＩｐｓおよびＱｐｓをＰ／Ｓ変換部４５へ出力する。
【００８２】
Ｐ／Ｓ変換部４５は、たとえば、ＩＱ平面における座標およびビット列の対応関係を示す対応情報を変調方式ごとに保持している。たとえば、変調方式が６４ＱＡＭ（６４  Ｑｕａｄｒａｔｕｒｅ  Ａｍｐｌｉｔｕｄｅ  Ｍｏｄｕｌａｔｉｏｎ）である場合、対応情報は、ＩＱ平面における６４個の座標と座標ごとの６ビットのビット列との対応関係を示す。
【００８３】
Ｐ／Ｓ変換部４５は、たとえば、ＯＦＤＭシンボル時間ごとに、受信データとしてシリアル情報を生成する。
【００８４】
詳細には、Ｐ／Ｓ変換部４５は、たとえば、ＯＦＤＭシンボル時間ごとに、パワースペクトルＩｐｓおよびＱｐｓにおけるＯＦＤＭキャリア周波数ごとの振幅に基づいて、ＯＦＤＭキャリア周波数ごとにシリアル情報を生成する。
【００８５】
より詳細には、Ｐ／Ｓ変換部４５は、たとえば、あるＯＦＤＭシンボル時間において、ＦＦＴ処理部４４からパワースペクトルＩｐｓおよびＱｐｓを受けると、受けたパワースペクトルＩｐｓにおけるＩ成分の振幅をＯＦＤＭキャリア周波数ごとに取得するとともに、パワースペクトルＱｐｓにおけるＱ成分の振幅をＯＦＤＭキャリア周波数ごとに取得する。
【００８６】
Ｐ／Ｓ変換部４５は、たとえば、処理対象のＯＦＤＭキャリア周波数のＩ成分の振幅およびＱ成分の振幅に基づいてＩＱ平面における座標を求め、当該ＯＦＤＭキャリア周波数で用いられる変調方式の対応情報に基づいて、求めた座標に対応するビット列を取得する逆マッピング処理を行う。
【００８７】
Ｐ／Ｓ変換部４５は、たとえば、ＯＦＤＭシンボル時間ごとに、すべてのＯＦＤＭキャリア周波数について逆マッピング処理を行うことによりＯＦＤＭキャリア周波数ごとのビット列を生成し、生成したビット列すなわちシリアル情報を取得部２２へ出力する。
【００８８】
この際、Ｐ／Ｓ変換部４５は、たとえば、ＴＭＣＣ情報を送信するためのＯＦＤＭキャリア周波数について逆マッピング処理を行って生成したビット列を、シリアル情報Ｓｔｍｃｃとして取得部２２へ出力する。
【００８９】
また、Ｐ／Ｓ変換部４５は、たとえば、番組の情報を送信するためのＯＦＤＭキャリア周波数について逆マッピング処理を行って生成したビット列を、シリアル情報Ｓｐｒｇとして取得部２２へ出力する。
【００９０】
また、Ｐ／Ｓ変換部４５は、たとえば、ＡＣ情報情報を送信するためのＯＦＤＭキャリア周波数について逆マッピング処理を行って生成したビット列を、シリアル情報Ｓａｃとして取得部２２へ出力する。
【００９１】
再び図６を参照して、取得部２２は、復調部２１によって生成された受信データから対象データを取得する。また、取得部２２は、たとえば、判別部として、受信データの格納方式を判別する。
【００９２】
具体的には、取得部２２は、たとえば、受信データの格納方式として、図３に示すＴＬＶパケット６１〜６４を用いる方式、および図５に示すＴＳパケット７１を用いる方式のいずれか一方を判別する。
【００９３】
より詳細には、取得部２２は、たとえば、復調部２１から出力されるシリアル情報Ｓｐｒｇを監視し、シリアル情報Ｓｐｒｇにおいて、図３に示す「スタートコード」に格納される「０１」のビット列、および図５に示す「同期バイト」格納される「０ｘ４７」の値を探索する。
【００９４】
取得部２２は、たとえば、「０１」のビット列を検出すると、受信データの格納方式が、ＴＬＶパケット６１〜６４を用いる方式であると判別する。一方、取得部２２は、たとえば、「０ｘ４７」の値を検出すると、受信データの格納方式がＴＳパケット７１を用いる方式であると判別する。
【００９５】
取得部２２は、たとえば、受信データの格納方式が、ＴＬＶパケット６１〜６４を用いる方式であると判別した場合、ＴＬＶパケットにおけるＴＬＶペイロードに格納された対象データＴｉｐまたは対象データＴｓｉを取得する。
【００９６】
ここで、対象データＴｉｐは、たとえば１または複数のＩＰパケットである。また、対象データＴｓｉは、たとえばＴＬＶ−ＳＩデータである。
【００９７】
より詳細には、取得部２２は、たとえば、検出した「０１」のビット列がＴＬＶパケットの開始位置であることを認識し、当該ビット列の６ビット後方における「パケットタイプ」に格納された値を取得する。取得部２２は、たとえば、取得した値が「０ｘ０１」、「０ｘ０２」または「０ｘ０３」である場合、当該ＴＬＶパケットのＴＬＶペイロードにおいて１または複数のＩＰパケットが含まれていることを認識する。
【００９８】
そして、取得部２２は、たとえば、「パケットタイプ」の直後における「長さ」のフィールドに格納された値を取得し、「長さ」の直後のフィールドにおいて、取得した値分のデータすなわち１または複数のＩＰパケットを対象データＴｉｐとして取得する。取得部２２は、たとえば、取得した対象データＴｉｐをＭＡＣ処理部２５へ出力する。
【００９９】
また、取得部２２は、たとえば、取得した「パケットタイプ」の値が「０ｘＦＥ」である場合、当該ＴＬＶパケットのＴＬＶペイロードにおいてシグナリングパケットが含まれていることを認識する。
【０１００】
そして、取得部２２は、たとえば、「パケットタイプ」の直後における「長さ」のフィールドに格納された値を取得し、「長さ」の直後のフィールドにおいて、取得した値分のデータすなわちシグナリングパケットの内容を確認する。取得部２２は、たとえば、当該内容がＴＬＶ−ＳＩデータであることを確認した場合、当該ＴＬＶ−ＳＩデータを対象データＴｓｉとして取得し、取得した対象データＴｓｉをＴＬＶ−ＳＩデータ処理部２７へ出力する。
【０１０１】
また、取得部２２は、たとえば、受信データの格納方式が、ＴＳパケット７１を用いる方式であると判別した場合、シリアル情報ＳｐｒｇからＴＳパケット７１を対象データＴｔｓとして順次取得し、取得した対象データＴｔｓをＴＳパケット処理部２８へ出力する。
【０１０２】
また、取得部２２は、たとえば放送波ＢＷの伝送制御に関する情報を含む対象データＴｔｍｃｃを取得する。
【０１０３】
より詳細には、取得部２２は、たとえば、復調部２１から出力されるシリアル情報Ｓｔｍｃｃを監視し、非特許文献３に記載の規格に従って、シリアル情報ＳｔｍｃｃからＴＭＣＣ情報を対象データＴｔｍｃｃとして取得する。この際、取得部２２は、たとえば所定のＯＦＤＭシンボル分のＴＭＣＣ情報を対象データＴｔｍｃｃとして取得する。取得部２２は、たとえば、取得した対象データＴｔｍｃｃをＴＭＣＣ情報処理部２６へ出力する。
【０１０４】
また、取得部２２は、たとえば放送に関する付加情報を取得する。より詳細には、取得部２２は、たとえば、復調部２１から受けるシリアル情報Ｓａｃを監視し、非特許文献３に記載の規格に従って、シリアル情報ＳａｃからＡＣ情報を取得する。この際、取得部２２は、たとえば所定のＯＦＤＭシンボル分のＡＣ情報を取得する。取得部２２は、たとえば、取得したＡＣ情報をＡＣ情報処理部３０へ出力する。
【０１０５】
図８は、本発明の第１の実施の形態に係る放送受信装置におけるＭＡＣ処理部が生成するＭＡＣフレームの一例を示す図である。
【０１０６】
図６および図８を参照して、付加部２３は、取得部２２によって取得された対象データＴｉｐ，Ｔｓｉ，Ｔｔｓ，ＴｔｍｃｃにＭＡＣヘッダを付加する。この際、付加部２３は、たとえば宛先アドレスとしてマルチキャストアドレスが格納されたＭＡＣヘッダを対象データＴｉｐ，Ｔｓｉ，Ｔｔｓ，Ｔｔｍｃｃに付加する。
【０１０７】
また、付加部２３は、たとえば、取得部２２によって判別された格納方式が、ＴＬＶパケット６１〜６４を用いる方式である場合、対象データＴｔｓにＩＰヘッダを付加しないケースがある。
【０１０８】
より詳細には、付加部２３におけるＭＡＣ処理部２５は、たとえば、取得部２２から対象データＴｉｐを受けると、受けた対象データＴｉｐすなわち１または複数のＩＰパケットにおけるＩＰヘッダから宛先のＩＰマルチキャストアドレスＩＭＡ１を取得し、取得したＩＰマルチキャストアドレスＩＭＡ１に対して所定の演算処理を施すことにより、宛先のＭＡＣアドレスであるマルチキャストアドレスＭＭＡ１を算出する。
【０１０９】
そして、ＭＡＣ処理部２５は、たとえば、算出したマルチキャストアドレスＭＭＡ１、および自己のＭＡＣアドレスを「宛先ＭＡＣアドレス」および「送信元ＭＡＣアドレス」のフィールドにそれぞれ格納した「ＭＡＣヘッダ」、ならびに「ＭＡＣフッタ」を作成する。
【０１１０】
ＭＡＣ処理部２５は、たとえば、作成した「ＭＡＣヘッダ」および「ＭＡＣフッタ」を対象データＴｉｐの直前および直後にそれぞれ付加することによりＭＡＣフレームＭｉｐを生成する。ＭＡＣ処理部２５は、生成したＭＡＣフレームＭｉｐすなわちＭＡＣヘッダが付加された対象データＴｉｐを送信部２４へ出力する。
【０１１１】
また、付加部２３は、たとえば対象データＴｓｉにＩＰヘッダおよびＭＡＣヘッダを付加する。
【０１１２】
より詳細には、付加部２３におけるＴＬＶ−ＳＩデータ処理部２７は、たとえば、取得部２２から対象データＴｓｉを受けると、受けた対象データＴｓｉにＩＰヘッダを付加する。
【０１１３】
この際、ＴＬＶ−ＳＩデータ処理部２７は、宛先アドレスとして、たとえば所定のＩＰマルチキャストアドレスＩＭＡ２を当該ＩＰヘッダに格納する。ここで、ＩＰマルチキャストアドレスＩＭＡ２は、たとえば、ユーザ等により指定された値、または放送受信装置１０１およびデコーダ装置１５１間において取り決められた仕様値を有する。
【０１１４】
ＴＬＶ−ＳＩデータ処理部２７は、ＩＰヘッダを付加した対象データＴｓｉ（以下、ＩＰパケットＩｓｉとも称する。）をＭＡＣ処理部２５へ出力する。
【０１１５】
ＭＡＣ処理部２５は、ＩＰパケットＩｓｉをＴＬＶ−ＳＩデータ処理部２７から受けると、受けたＩＰパケットＩｓｉにおけるＩＰヘッダから宛先のＩＰマルチキャストアドレスＩＭＡ２を取得し、取得したＩＰマルチキャストアドレスＩＭＡ２に対して所定の演算処理を施すことにより、宛先のＭＡＣアドレスであるマルチキャストアドレスＭＭＡ２を算出する。
【０１１６】
そして、ＭＡＣ処理部２５は、たとえば、算出したマルチキャストアドレスＭＭＡ２、および自己のＭＡＣアドレスを「宛先ＭＡＣアドレス」および「送信元ＭＡＣアドレス」のフィールドにそれぞれ格納した「ＭＡＣヘッダ」、ならびに「ＭＡＣフッタ」を作成する。
【０１１７】
ＭＡＣ処理部２５は、たとえば、作成した「ＭＡＣヘッダ」および「ＭＡＣフッタ」をＩＰパケットＩｓｉの直前および直後にそれぞれ付加することによりＭＡＣフレームＭｓｉを生成する。ＭＡＣ処理部２５は、生成したＭＡＣフレームＭｓｉすなわちＩＰヘッダおよびＭＡＣヘッダが付加された対象データＴｓｉを送信部２４へ出力する。
【０１１８】
また、付加部２３は、たとえば、取得部２２によって判別された格納方式が、ＴＳパケット７１を用いる方式である場合、対象データＴｔｓにＩＰヘッダおよびＭＡＣヘッダを付加する。
【０１１９】
より詳細には、付加部２３におけるＴＳパケット処理部２８は、たとえば、取得部２２から対象データＴｔｓすなわちＴＳパケット７１を受けると、受けたＴＳパケット７１を複数個蓄積し、蓄積した複数個のＴＳパケット７１にＩＰヘッダを付加する。
【０１２０】
この際、ＴＳパケット処理部２８は、宛先アドレスとして、たとえば所定のＩＰマルチキャストアドレスＩＭＡ３を当該ＩＰヘッダに格納する。ここで、ＩＰマルチキャストアドレスＩＭＡ３は、たとえば、ユーザ等により指定された値、または放送受信装置１０１およびデコーダ装置１５１間において取り決められた仕様値を有する。
【０１２１】
なお、ＴＳパケット処理部２８は、ＴＳパケット７１を複数個蓄積せずに、１つのＴＳパケット７１にＩＰヘッダを付加してもよい。しかしながら、ＴＳパケット７１のパケット長は、図５に示すように１８８オクテットと短いので、複数個のＴＳパケット７１にＩＰヘッダを付加することが好ましい。これにより、後段の処理を効率よく行うことができる。
【０１２２】
ＴＳパケット処理部２８は、ＩＰヘッダを付加した複数個のＴＳパケット７１（以下、ＩＰパケットＩｔｓとも称する。）をＭＡＣ処理部２５へ出力する。
【０１２３】
ＭＡＣ処理部２５は、ＩＰパケットＩｔｓをＴＳパケット処理部２８から受けると、受けたＩＰパケットＩｔｓにおけるＩＰヘッダから宛先のＩＰマルチキャストアドレスＩＭＡ３を取得し、取得したＩＰマルチキャストアドレスＩＭＡ３に対して所定の演算処理を施すことにより、宛先のＭＡＣアドレスであるマルチキャストアドレスＭＭＡ３を算出する。
【０１２４】
そして、ＭＡＣ処理部２５は、たとえば、算出したマルチキャストアドレスＭＭＡ３、および自己のＭＡＣアドレスを「宛先ＭＡＣアドレス」および「送信元ＭＡＣアドレス」のフィールドにそれぞれ格納した「ＭＡＣヘッダ」、ならびに「ＭＡＣフッタ」を作成する。
【０１２５】
ＭＡＣ処理部２５は、たとえば、作成した「ＭＡＣヘッダ」および「ＭＡＣフッタ」をＩＰパケットＩｔｓの直前および直後にそれぞれ付加することによりＭＡＣフレームＭｔｓを生成する。ＭＡＣ処理部２５は、生成したＭＡＣフレームＭｔｓすなわちＩＰヘッダおよびＭＡＣヘッダが付加された対象データＴｔｓを送信部２４へ出力する。
【０１２６】
また、付加部２３は、たとえば対象データＴｔｍｃｃにＩＰヘッダおよびＭＡＣヘッダを付加する。
【０１２７】
より詳細には、付加部２３におけるＴＭＣＣ情報処理部２６は、たとえば、取得部２２から対象データＴｔｍｃｃを受けると、受けた対象データＴｔｍｃｃにＩＰヘッダを付加する。
【０１２８】
この際、ＴＭＣＣ情報処理部２６は、宛先アドレスとして、たとえば所定のＩＰマルチキャストアドレスＩＭＡ４を当該ＩＰヘッダに格納する。ここで、ＩＰマルチキャストアドレスＩＭＡ４は、たとえば、ユーザ等により指定された値、または放送受信装置１０１およびデコーダ装置１５１間において取り決められた仕様値を有する。
【０１２９】
ＴＭＣＣ情報処理部２６は、ＩＰヘッダを付加した対象データＴｔｍｃｃ（以下、ＩＰパケットＩｔｍｃｃとも称する。）をＭＡＣ処理部２５へ出力する。
【０１３０】
ＭＡＣ処理部２５は、ＩＰパケットＩｔｍｃｃをＴＭＣＣ情報処理部２６から受けると、受けたＩＰパケットＩｔｍｃｃにおけるＩＰヘッダから宛先のＩＰマルチキャストアドレスＩＭＡ４を取得し、取得したＩＰマルチキャストアドレスＩＭＡ４に対して所定の演算処理を施すことにより、宛先のＭＡＣアドレスであるマルチキャストアドレスＭＭＡ４を算出する。
【０１３１】
そして、ＭＡＣ処理部２５は、たとえば、算出したマルチキャストアドレスＭＭＡ４、および自己のＭＡＣアドレスを「宛先ＭＡＣアドレス」および「送信元ＭＡＣアドレス」のフィールドにそれぞれ格納した「ＭＡＣヘッダ」、ならびに「ＭＡＣフッタ」を作成する。
【０１３２】
ＭＡＣ処理部２５は、たとえば、作成した「ＭＡＣヘッダ」および「ＭＡＣフッタ」をＩＰパケットＩｔｍｃｃの直前および直後にそれぞれ付加することによりＭＡＣフレームＭｔｍｃｃを生成する。ＭＡＣ処理部２５は、生成したＭＡＣフレームＭｔｍｃｃすなわちＩＰヘッダおよびＭＡＣヘッダが付加された対象データＴｔｍｃｃを送信部２４へ出力する。
【０１３３】
また、付加部２３は、たとえばＡＣ情報にＩＰヘッダおよびＭＡＣヘッダを付加する。
【０１３４】
より詳細には、付加部２３におけるＡＣ情報処理部３０は、たとえば、取得部２２からＡＣ情報を受けると、受けたＡＣ情報にＩＰヘッダを付加する。
【０１３５】
この際、ＡＣ情報処理部３０は、宛先アドレスとして、たとえば所定のＩＰマルチキャストアドレスＩＭＡ５を当該ＩＰヘッダに格納する。ここで、ＩＰマルチキャストアドレスＩＭＡ５は、たとえば、ユーザ等により指定された値、または放送受信装置１０１およびデコーダ装置１５１間において取り決められた仕様値を有する。
【０１３６】
ＡＣ情報処理部３０は、ＩＰヘッダを付加したＡＣ情報（以下、ＩＰパケットＩａｃとも称する。）をＭＡＣ処理部２５へ出力する。
【０１３７】
ＭＡＣ処理部２５は、ＩＰパケットＩａｃをＡＣ情報処理部３０から受けると、受けたＩＰパケットＩａｃにおけるＩＰヘッダから宛先のＩＰマルチキャストアドレスＩＭＡ５を取得し、取得したＩＰマルチキャストアドレスＩＭＡ５に対して所定の演算処理を施すことにより、宛先のＭＡＣアドレスであるマルチキャストアドレスＭＭＡ５を算出する。
【０１３８】
そして、ＭＡＣ処理部２５は、たとえば、算出したマルチキャストアドレスＭＭＡ５、および自己のＭＡＣアドレスを「宛先ＭＡＣアドレス」および「送信元ＭＡＣアドレス」のフィールドにそれぞれ格納した「ＭＡＣヘッダ」、ならびに「ＭＡＣフッタ」を作成する。
【０１３９】
ＭＡＣ処理部２５は、たとえば、作成した「ＭＡＣヘッダ」および「ＭＡＣフッタ」をＩＰパケットＩａｃの直前および直後にそれぞれ付加することによりＭＡＣフレームＭａｃを生成する。ＭＡＣ処理部２５は、生成したＭＡＣフレームＭａｃすなわちＩＰヘッダおよびＭＡＣヘッダが付加されたＡＣ情報を送信部２４へ出力する。
【０１４０】
送信部２４は、付加部２３によってＭＡＣヘッダが付加された対象データＴｉｐ，Ｔｓｉ，Ｔｔｓ，Ｔｔｍｃｃを送信データとしてデコーダ装置１５１へ送信する。
【０１４１】
具体的には、ＴＭＣＣ情報処理部２６は、たとえば、付加部２３からＭＡＣフレームＭｉｐ、Ｍｓｉ、Ｍｔｓ、ＭｔｍｃｃまたはＭａｃを受けると、受けたＭＡＣフレームにおける「宛先ＭＡＣアドレス」を有する装置すなわちデコーダ装置１５１へ当該ＭＡＣフレームを送信する。
【０１４２】
再び図１を参照して、デコーダ装置１５１は、放送受信装置１０１からＭＡＣフレームＭｉｐ、Ｍｓｉ、Ｍｔｓ、ＭｔｍｃｃまたはＭａｃを受信すると、受信したＭＡＣフレームにおけるＭＡＣペイロードから対象データまたはＡＣ情報を取得し、取得した対象データおよびＡＣ情報に基づいて番組を再生する。
【０１４３】
デコーダ装置１５１は、たとえば、再生した番組を表示装置１１１へ送信することにより、当該番組を表示装置１１１において表示させたり、当該番組を記憶装置１２１へ送信することにより、当該番組を記憶装置１２１に録画させたりする。
【０１４４】
［動作］
放送受信システム３０１における各装置は、コンピュータを備え、当該コンピュータにおけるＣＰＵ等の演算処理部は、以下のシーケンス図またはフローチャートの各ステップの一部または全部を含むプログラムを図示しないメモリからそれぞれ読み出して実行する。これら複数の装置のプログラムは、それぞれ、外部からインストールすることができる。これら複数の装置のプログラムは、それぞれ、記録媒体に格納された状態で流通する。
【０１４５】
図９は、本発明の第１の実施の形態に係る放送受信装置が放送波の処理を行う際の動作手順を定めたフローチャートである。
【０１４６】
図９を参照して、まず、放送受信装置１０１は、放送波ＢＷを受信し、受信した放送波ＢＷを復調することによりシリアル情報Ｓｔｍｃｃ，Ｓｐｒｇ，Ｓａｃを生成する（ステップＳ１０２）。
【０１４７】
次に、放送受信装置１０１は、図３に示す「スタートコード」および「パケットタイプ」に格納された値に基づいてシリアル情報ＳｐｒｇにおいてＴＬＶパケット６１、６２または６３を検出した場合（ステップＳ１０４でＹＥＳ）、以下の処理を行う。
【０１４８】
すなわち、放送受信装置１０１は、検出したＴＬＶパケット６１、６２または６３におけるＴＬＶペイロードから対象データＴｉｐすなわち１または複数のＩＰパケットを取得する（ステップＳ１０６）。
【０１４９】
次に、放送受信装置１０１は、取得した対象データＴｉｐにＭＡＣヘッダを付加してＭＡＣフレームＭｉｐを生成する（ステップＳ１０８）。
【０１５０】
また、放送受信装置１０１は、図３に示す「スタートコード」および「パケットタイプ」に格納された値に基づいて、シリアル情報Ｓｐｒｇにおいて、対象データＴｓｉであるＴＬＶ−ＳＩデータを格納したＴＬＶパケット６４を検出した場合（ステップＳ１０４でＮＯおよびステップＳ１１０でＹＥＳ）、以下の処理を行う。
【０１５１】
すなわち、放送受信装置１０１は、検出したＴＬＶパケット６４におけるＴＬＶペイロードから対象データＴｓｉを取得する（ステップＳ１１２）。
【０１５２】
次に、放送受信装置１０１は、取得した対象データＴｓｉにＩＰヘッダおよびＭＡＣヘッダを付加してＭＡＣフレームＭｓｉを生成する（ステップＳ１１４）。
【０１５３】
また、放送受信装置１０１は、図５に示す「同期バイト」に基づいて、シリアル情報Ｓｐｒｇにおいて、対象データＴｔｓであるＴＳパケット７１を検出した場合（ステップＳ１０４でＮＯ、ステップＳ１１０でＮＯおよびステップＳ１１６でＹＥＳ）、以下の処理を行う。
【０１５４】
すなわち、放送受信装置１０１は、検出したＴＳパケット７１をシリアル情報Ｓｐｒｇから取得する（ステップＳ１１８）。
【０１５５】
次に、放送受信装置１０１は、取得したＴＳパケット７１をたとえば複数個蓄積し、蓄積した複数個のＴＳパケット７１にＩＰヘッダおよびＭＡＣヘッダを付加してＭＡＣフレームＭｔｓを生成する（ステップＳ１２０）。
【０１５６】
また、放送受信装置１０１は、シリアル情報Ｓｔｍｃｃから所定のＯＦＤＭシンボル分のＴＭＣＣ情報を対象データＴｔｍｃｃとして取得すると（ステップＳ１０４でＮＯ、ステップＳ１１０でＮＯ、ステップＳ１１６でＮＯおよびステップＳ１２２でＹＥＳ）、以下の処理を行う。
【０１５７】
すなわち、放送受信装置１０１は、取得した対象データＴｔｍｃｃにＩＰヘッダおよびＭＡＣヘッダを付加してＭＡＣフレームＭｔｍｃｃを生成する（ステップＳ１２４）。
【０１５８】
また、放送受信装置１０１は、シリアル情報Ｓａｃから所定のＯＦＤＭシンボル分のＡＣ情報を取得すると（ステップＳ１０４でＮＯ、ステップＳ１１０でＮＯ、ステップＳ１１６でＮＯ、ステップＳ１２２でＮＯおよびステップＳ１２６でＹＥＳ）、以下の処理を行う。
【０１５９】
すなわち、放送受信装置１０１は、取得したＡＣ情報にＩＰヘッダおよびＭＡＣヘッダを付加してＭＡＣフレームＭａｃを生成する。
【０１６０】
次に、放送受信装置１０１は、ＭＡＣフレームＭｉｐを生成するか（ステップＳ１０８）、ＭＡＣフレームＭｓｉを生成するか（ステップＳ１１４）、ＭＡＣフレームＭｔｓを生成するか（ステップＳ１２０）、ＭＡＣフレームＭｔｍｃｃを生成するか（ステップＳ１２４）、またはＭＡＣフレームＭａｃを生成すると（ステップＳ１２８）、生成したＭＡＣフレームＭｉｐ、Ｍｓｉ、Ｍｔｓ、ＭｔｍｃｃまたはＭａｃをデコーダ装置１５１へ送信する（ステップＳ１３０）。
【０１６１】
なお、本発明の第１の実施の形態に係る放送受信装置１０１では、付加部２３は、宛先アドレスとしてマルチキャストアドレスが格納されたＭＡＣヘッダを対象データＴｉｐ，Ｔｓｉ，Ｔｔｓ，Ｔｔｍｃｃに付加する構成であるとしたが、これに限定するものではない。付加部２３は、宛先アドレスとしてユニキャストアドレスが格納されたＭＡＣヘッダを対象データＴｉｐ，Ｔｓｉ，Ｔｔｓ，Ｔｔｍｃｃの少なくともいずれか１つに付加する構成であってもよい。
【０１６２】
また、本発明の第１の実施の形態に係る放送受信装置１０１では、取得部２２は、判別部の機能を有する構成であるとしたが、これに限定するものではない。取得部２２は、判別部の機能を有しない構成であってもよい。
【０１６３】
また、本発明の第１の実施の形態に係る放送受信装置１０１では、付加部２３は、１つのＴＬＶパケットに格納された１または複数のＩＰパケットに対してＭＡＣヘッダを付加することにより１つのＭＡＣフレームを生成する構成であるとしたが、これに限定するものではない。付加部２３は、１つのＴＬＶパケットに格納された複数のＩＰパケットを複数のグループに分割し、分割した各グループに対してそれぞれＭＡＣヘッダを付加することにより複数のＭＡＣフレームを生成する構成であってもよい。また、付加部２３は、複数のＴＬＶパケットにそれぞれ格納された１または複数のＩＰパケットを１つのグループにまとめ、まとめたグループに対してＭＡＣヘッダを付加することにより１つのＭＡＣフレームを生成する構成であってもよい。また、付加部２３は、複数のＴＬＶパケットにそれぞれ格納された１または複数のＩＰパケットを複数のグループにまとめ、まとめた各グループに対してそれぞれＭＡＣヘッダを付加することにより複数のＭＡＣフレームを生成する構成であってもよい。
【０１６４】
ところで、非特許文献２に開示されているような、放送波から取得したＭＭＴ／ＩＰ／ＴＬＶパケット等のデータを後段の装置へ伝送する方法については、非特許文献１には開示されていない。放送波から取得したデータを簡易な構成で伝送することが可能な技術が求められている。
【０１６５】
これに対して、本発明の第１の実施の形態に係る放送受信装置では、復調部２１は、放送波ＢＷを受信し、受信した放送波ＢＷを復調することにより受信データを生成する。取得部２２は、復調部２１によって生成された受信データから対象データを取得する。付加部２３は、取得部２２によって取得された対象データにＭＡＣヘッダを付加する。そして、送信部２４は、付加部２３によってＭＡＣヘッダが付加された対象データを他の装置へ送信する。
【０１６６】
このように、放送波ＢＷに含まれる対象データを取得し、取得した対象データにＭＡＣヘッダを付加して他の装置へ送信する構成により、広く普及しているＩＥＥＥ８０２．３の規格に従って対象データを送信し、他の装置は、ＩＥＥＥ８０２．３の規格に従うインタフェースを備えることで、対象データを受信して処理することができる。したがって、放送波から取得したデータを簡易な構成で伝送することができる。
【０１６７】
また、本発明の第１の実施の形態に係る放送受信装置では、受信データは、データ種別を示す情報が格納されたヘッダを有するパケットを含む。そして、取得部２２は、当該パケットにおけるペイロードに格納された対象データを取得する。
【０１６８】
このような構成により、他の装置において、上記ヘッダの解析処理を不要にすることができるので、受信構成の汎用化を実現することができる。また、放送受信装置１０１において、ペイロードに格納されたデータの内容を確認することなく当該データの種別を認識することができるので、ペイロードに格納されたデータに対する処理内容の決定を、認識した種別に基づいて簡易に行うことができる。
【０１６９】
また、本発明の第１の実施の形態に係る放送受信装置では、上記パケットは、ＴＬＶパケットである。
【０１７０】
このような構成により、ＩＰパケットを多重化して格納可能なＴＬＶパケットのヘッダの内容から、ペイロードに格納されたデータの種別および大きさを認識することができるので、たとえばＩＰヘッダの付加の要不要を、認識した種別に基づいて簡易に行うことができるとともに、ペイロードに格納されたデータの取得を、認識した大きさに基づいて簡易に行うことができる。
【０１７１】
また、本発明の第１の実施の形態に係る放送受信装置では、対象データＴｉｐは、１または複数のＩＰパケットである。
【０１７２】
このような構成により、１または複数のＩＰパケットをＭＡＣフレームに格納して他の装置へ送信することができるので、他の装置は、たとえばＩＰ放送用のインタフェースを備える場合、新たなインタフェースを設けることなく対象データＴｉｐを受信して処理することができる。
【０１７３】
また、本発明の第１の実施の形態に係る放送受信装置では、付加部２３は、対象データＴｓｉにＩＰヘッダおよびＭＡＣヘッダを付加する。
【０１７４】
このような構成により、放送波においてＩＰパケットに格納されていない対象データＴｓｉを、ＩＰパケットおよびＭＡＣフレームに格納して他の装置へ送信することができるので、他の装置は、たとえばＩＰ放送用のインタフェースを備える場合、新たなインタフェースを設けることなく対象データＴｓｉを受信して処理することができる。
【０１７５】
また、本発明の第１の実施の形態に係る放送受信装置では、対象データＴｔｍｃｃは、放送波ＢＷの伝送制御に関する情報を含む。そして、付加部２３は、対象データＴｔｍｃｃにＩＰヘッダおよびＭＡＣヘッダを付加する。
【０１７６】
このような構成により、放送波においてＩＰパケットに格納されていない、放送波の伝送制御に関する情報を、ＩＰパケットおよびＭＡＣフレームに格納して他の装置へ送信することができるので、他の装置は、たとえばＩＰ放送用のインタフェースを備える場合、新たなインタフェースを設けることなく当該情報を受信して処理することができる。
【０１７７】
また、本発明の第１の実施の形態に係る放送受信装置では、付加部２３は、宛先アドレスとしてマルチキャストアドレスが格納されたＭＡＣヘッダを対象データに付加する。
【０１７８】
このような構成により、放送受信装置１０１において送信先のＭＡＣアドレスを取得する処理を不要とすることができるので、ＭＡＣフレームに格納された対象データを簡易な構成で複数の装置へ送信することができる。
【０１７９】
また、本発明の第１の実施の形態に係る放送受信装置では、取得部２２は、受信データの格納方式を判別する。そして、付加部２３は、取得部２２によって判別された格納方式が、ＴＳパケットを用いる方式である場合、対象データＴｔｓにＩＰヘッダおよびＭＡＣヘッダを付加する。
【０１８０】
このような構成により、放送波によりＴＳパケットが伝送される場合においても、ＴＳパケットをＩＰパケットおよびＭＡＣフレームに格納して他の装置へ送信することができるので、１つの放送受信装置１０１で各種データを伝送することができる。また、他の装置は、たとえばＩＰ放送用のインタフェースを備える場合、新たなインタフェースを設けることなくＴＳパケットを受信して処理することができる。
【０１８１】
また、本発明の第１の実施の形態に係る放送受信システムでは、放送受信装置１０１は、受信した放送波ＢＷを復調することにより受信データを生成し、生成した受信データから対象データを取得し、取得した対象データにＭＡＣヘッダを付加し、ＭＡＣヘッダを付加した対象データを送信データとしてデコーダ装置１５１へ送信する。そして、デコーダ装置１５１は、放送受信装置１０１から受信した送信データに基づいて、番組を再生する。
【０１８２】
このように、放送波ＢＷに含まれる対象データを取得し、取得した対象データにＭＡＣヘッダを付加してデコーダ装置１５１へ送信する構成により、広く普及しているＩＥＥＥ８０２．３の規格に従って対象データを送信し、デコーダ装置１５１は、ＩＥＥＥ８０２．３の規格に従うインタフェースを備えることで、対象データを受信して処理することができる。したがって、放送波から取得したデータを簡易な構成で伝送することができる。
【０１８３】
次に、本発明の他の実施の形態について図面を用いて説明する。なお、図中同一または相当部分には同一符号を付してその説明は繰り返さない。
【０１８４】
＜第２の実施の形態＞
本実施の形態は、第１の実施の形態に係る放送受信システムと比べてスイッチ装置を備える放送受信システムに関する。以下で説明する内容以外は第１の実施の形態に係る放送受信システムと同様である。
【０１８５】
［構成および基本動作］
図１０は、本発明の第２の実施の形態に係る放送受信システムの構成を示す図である。
【０１８６】
図１０を参照して、放送受信システム３０２は、放送受信装置１０１である放送受信装置１０１Ａ，１０１Ｂと、デコーダ装置１５１であるデコーダ装置１５１Ａ，１５１Ｂと、スイッチ装置１８１とを備える。
【０１８７】
なお、図１０では、２つの放送受信装置１０１を代表的に示しているが、１つまたは３つ以上の放送受信装置１０１が設けられてもよい。また、２つのデコーダ装置１５１を代表的に示しているが、１つまたは３つ以上のデコーダ装置１５１が設けられてもよい。
【０１８８】
デコーダ装置１５１Ａ，１５１Ｂには、たとえば表示装置１１１および記憶装置１２１がそれぞれ接続されている。放送受信装置１０１Ａ，１０１Ｂには、たとえば外部アンテナ１１がそれぞれ接続されている。
【０１８９】
スイッチ装置１８１は、たとえば、放送受信装置１０１から受信した送信データのＭＡＣヘッダに格納された宛先アドレスの装置へ、当該送信データを転送する。
【０１９０】
具体的には、スイッチ装置１８１は、たとえば、Ｌ２スイッチであり、放送受信装置１０１ＡからＭＡＣフレームＭｉｐ、Ｍｓｉ、Ｍｔｓ、ＭｔｍｃｃまたはＭａｃを受信すると、受信したＭＡＣフレームに格納された宛先アドレスに応じて、デコーダ装置１５１Ａおよび１５１Ｂの少なくともいずれか一方へ当該ＭＡＣフレームを送信する。
【０１９１】
同様に、スイッチ装置１８１は、たとえば、放送受信装置１０１ＢからＭＡＣフレームＭｉｐ、Ｍｓｉ、Ｍｔｓ、ＭｔｍｃｃまたはＭａｃを受信すると、受信したＭＡＣフレームに格納された宛先アドレスに応じて、デコーダ装置１５１Ａおよび１５１Ｂの少なくともいずれか一方へ当該ＭＡＣフレームを送信する。
【０１９２】
より具体的には、たとえば、スイッチ装置１８１は、デコーダ装置１５１Ａおよび１５１Ｂの両方を宛先とするＭＡＣフレームを放送受信装置１０１Ａから受信すると、受信したＭＡＣフレームをデコーダ装置１５１Ａおよび１５１Ｂへ転送する。
【０１９３】
このような構成により、１つの放送受信装置１０１によって受信された放送波ＢＷに含まれる対象データを複数のデコーダ装置１５１へ良好に分配することができる。
【０１９４】
また、たとえば、スイッチ装置１８１は、デコーダ装置１５１Ａを宛先とするＭＡＣフレームＦＡを放送受信装置１０１Ａから受信し、かつデコーダ装置１５１Ａを宛先とするＭＡＣフレームＦＢを放送受信装置１０１Ｂから受信すると、受信したＭＡＣフレームＦＡおよびＦＢをデコーダ装置１５１Ａへ転送する。
【０１９５】
このような構成により、複数の放送受信装置１０１によってそれぞれ受信された放送波ＢＷに含まれる対象データを１つのデコーダ装置１５１に良好に集めることができる。
【０１９６】
以上のように、本発明の第２の実施の形態に係る放送受信システムでは、ＭＡＣヘッダには、宛先アドレスが格納される。そして、スイッチ装置１８１は、放送受信装置１０１から受信した送信データのＭＡＣヘッダに格納された宛先アドレスの装置へ、当該送信データを転送する。
【０１９７】
このような構成により、放送受信システム３０２における送信データの伝送形態の多様化を実現することができる。
【０１９８】
その他の構成および動作は第１の実施の形態に係る放送受信システムと同様であるため、ここでは詳細な説明を繰り返さない。
【０１９９】
なお、本発明の第１の実施の形態および第２の実施の形態に係る各装置の構成要素および動作のうち、一部または全部を適宜組み合わせることも可能である。
【０２００】
上記実施の形態は、すべての点で例示であって制限的なものではないと考えられるべきである。本発明の範囲は、上記説明ではなく特許請求の範囲によって示され、特許請求の範囲と均等の意味および範囲内でのすべての変更が含まれることが意図される。
【０２０１】
以上の説明は、以下に付記する特徴を含む。
【０２０２】
［付記１］
放送波を受信し、受信した前記放送波を復調することにより受信データを生成する復調部と、
前記復調部によって生成された前記受信データから対象データを取得する取得部と、
前記取得部によって取得された前記対象データにＭＡＣ（Ｍｅｄｉａ  Ａｃｃｅｓｓ  Ｃｏｎｔｒｏｌ）ヘッダを付加する付加部と、
前記付加部によって前記ＭＡＣヘッダが付加された前記対象データを他の装置へ送信する送信部とを備え、
前記復調部は、放送衛星または電波塔から送信された、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式によって変調された前記放送波を受信し、受信した前記放送波を、前記ＯＦＤＭ変調方式に従って復調することにより前記受信データを生成する、放送受信装置。
【０２０３】
［付記２］
番組の情報を含む放送波を受信する放送受信装置と、
デコーダ装置とを備え、
前記放送受信装置は、受信した前記放送波を復調することにより受信データを生成し、生成した前記受信データから対象データを取得し、取得した前記対象データにＭＡＣ（Ｍｅｄｉａ  Ａｃｃｅｓｓ  Ｃｏｎｔｒｏｌ）ヘッダを付加し、前記ＭＡＣヘッダを付加した前記対象データを送信データとして前記デコーダ装置へ送信し、
前記デコーダ装置は、前記放送受信装置から受信した前記送信データに基づいて、前記番組を再生し、
前記放送受信装置は、放送衛星または電波塔から送信された、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）変調方式によって変調された前記放送波を受信し、受信した前記放送波を、前記ＯＦＤＭ変調方式に従って復調することにより前記受信データを生成する、放送受信システム。
【符号の説明】
【０２０４】
１１  外部アンテナ
２１  復調部
２２  取得部（判別部）
２３  付加部
２４  送信部
２５  ＭＡＣ処理部
２６  ＴＭＣＣ情報処理部
２７  ＴＬＶ−ＳＩデータ処理部
２８  ＴＳパケット処理部
２９  周波数設定部
３０  ＡＣ情報処理部
４１  ローノイズアンプ
４２  直交復調部
４３  ＡＤ変換部
４４  ＦＦＴ処理部
４５  Ｐ／Ｓ変換部
４６  発振器
１０１  放送受信装置
１１１  表示装置
１２１  記憶装置
１５１  デコーダ装置
１７３  放送衛星
１７４  電波塔
１８１  スイッチ装置
３０１，３０２  放送受信装置
【図１】
2017092671.tif 000003
【図２】
2017092671.tif 000004
【図３】
2017092671.tif 000005
【図４】
2017092671.tif 000006
【図５】
2017092671.tif 000007
【図６】
2017092671.tif 000008
【図７】
2017092671.tif 000009
【図８】
2017092671.tif 000010
【図９】
2017092671.tif 000011
【図１０】
2017092671.tif 000012